(57)【要約】【課題】  たわみ継手に用いるキャンバスの端部をキャンバス用ジョイントで結着してキャンバスを筒状に形成する作業を、簡便で且つ確実に行えるようにする。併せてキャンバスの補強線材をガタ付きなく固定する。【解決手段】    キャンバス２の一端部２ａと他端部２ｂを結着するジョイント３を、内側プレート１０と外側プレート１１とタッピングネジ１２とで構成する。内側プレート１０に下孔１３ａを設け、外側プレート１１にネジ挿通孔１４ａを設ける。内側プレート１０のキャンバス側面に下孔１３ａ，１３ａを隔てるように凹溝１３ｂを設ける。重ね合わせした一端部２ａと他端部２ｂを内外のプレート１０，１１で挟み、これらをタッピングネジ１２で連結して一端部２ａと他端部２ｂとを結着する。凹溝１３ｂに補強線材８の両端部８ａ，８ｂを挟んで固定する。【選択図】  図１
2014037912.tif 000002
【特許請求の範囲】
【請求項１】
帯状のキャンバスを筒状に懸回してその一端部と他端部とを内外に重合し、
この重合したキャンバスの一端部と他端部とをジョイントにて結着し、筒状に結着したキャンバスの両側縁に接続フランジを固着して構成されるダクト用たわみ継手に用いるキャンバス用ジョイントであって、
該ジョイントは、前記重合したキャンバスの両端部内外に重ね合わせされる内側プレート及び外側プレートと、これら双方のプレートを外側プレートの外方よりねじ込んで前記重合したキャンバスの両端部とともに連結する止めネジとの組合せでなり、
前記内側プレートと外側プレートのそれぞれに前記止めネジ用の孔を一対ずつ穿設するとともに、内側プレートと外側プレートのいずれか一方または双方のキャンバス側面に、前記一対の止めネジ用の孔を隔てる凹溝を設けた
ことを特徴とするダクト用たわみ継手に用いるキャンバス用ジョイント。
【請求項２】
前記外側プレートを板状に形成し、前記内側プレートを、前記外側プレートとともに前記キャンバスの一端部と他端部とを挟持する板片に、支持片を反キャンバス方向へ延出させた断面Ｔ字状に形成し、前記内側プレート側の一対の止めネジ用の孔を前記板片と前記支持片とに渡って穿設するとともに、前記凹溝を内側プレートの板片キャンバス側面に設けた
ことを特徴とする請求項１に記載のダクト用たわみ継手に用いるキャンバス用ジョイント。
【請求項３】
前記外側プレートに穿設される止めネジ用の孔が、前記止めネジよりも大径なネジ挿通孔であり、前記内側プレートに穿設される止めネジ用の孔が、前記止めネジのねじ込みによってメネジが刻設される下孔または前記止めネジよりも大径なネジ挿通孔である
ことを特徴とする請求項１または２に記載のダクト用たわみ継手に用いるキャンバス用ジョイント。 
【発明の詳細な説明】
【技術分野】
【０００１】
本発明は、本物品は、建物の空気調和や換気，排気等を目的に設置される剛体構造のダクトの間に、振動吸収等を目的に介装されるたわみ継手を、接続フランジとともに構成するキャンバス生地を結着するためのダクト用たわみ継手のジョイントに関する。
【背景技術】
【０００２】
ダクト用たわみ継手は、ビル等の建築物内部に空調や排煙等を目的に設置される剛体構造のダクトの間に介装され、ダクトが地震その他の振動で建築物とともに揺れた場合に、伸縮性並びに屈曲性を有するキャンバスによってこれを吸収することにより、剛体ダクトへの損傷を極力防止するようにしている。
【０００３】
このたわみ継手は、例えば、ロール状に巻かれたキャンバスを所定長さに切断して断面円形や矩形の筒状に懸回してその一端部及び他端部を内外に重合し、両側縁に接続フランジを固着するとともに、重合したキャンバスの一端部及び他端部をホチキス針や鳩目，ダイカシメやリベットカシメ等のジョイントを用いて結着し、さらにその上を接着テープ等で固定することにより構成されている（例えば、特許文献１参照）。
【先行技術文献】
【特許文献】
【０００４】
【特許文献１】特開２００５−２３３５３４号公報（段落番号００１８、図１３）
【発明の概要】
【発明が解決しようとする課題】
【０００５】
特許文献１に例示されるように、キャンバス両端部の結着は、ジョイントがホチキス針や鳩目，ダイカシメやリベットカシメといった細かなものであることから結着箇所が点となる。このような点結着では、キャンバス端部に充分な連結強度を持たせることができないため、これらのジョイントをキャンバスの幅に細かなピッチで多数使用しなければならず、多大な労力と時間を要するばかりか、コスト高となるという欠点があった。
【０００６】
さらに、たわみ継手の多くは、剛体ダクトの施工業者が剛体ダクトの構造や設置条件に合わせていわゆる現場合わせで製作するが、剛体ダクトの組み立てがスパナやドライバといった汎用工具で済むのに対し、たわみ継手のキャンバス端部の結着には、ステップラやかしめ具といった専用工具を用意しなければならないといった煩わしさがある。
【０００７】
また、たわみ継手用のキャンバスには、建築物にたわみ継手として設置した際に、内部の風圧によく堪えるようキャンバスの中央部長手方向に変形防止用の補強線材を挿通したものがあるが、施工業者がこの補強線材入りのキャンバスを用いてたわみ継手を製作する場合に、補強線材はキャンバス両端部に略合わせて切断されるが、補強線材の端部は切断したままか簡便なエンドキャップを被せる程度に処理され、殆どの場合補強線材の端部は固定されないことが多い。
【０００８】
このため、たわみ継手を建築物に設置して内部の風圧を受けると、キャンバスと補強線材の端部とが擦れ合い、またこの擦れ合いによってエンドキャップが外れ、補強線材の端部でキャンバスを傷めることがあった。
【０００９】
本発明は、このような実情を背景にしてなされたもので、その目的とするところは、キャンバスを筒状にして結着する作業を、特別な工具を用いることなく短時間で簡便に行えるようにし、以てコストの低減に寄与することのできるダクト用たわみ継手に用いるキャンバス用ジョイントを提供することにある。また、本発明のさらなる目的として、たわみ継手に補強線材入りのキャンバスを用いたとしても、補強線材の端部でキャンバスを傷めることのないダクト用たわみ継手に用いるキャンバス用ジョイントを提供するものである。
【課題を解決するための手段】
【００１０】
上記した目的を達成するため、本発明は、帯状のキャンバスを筒状に懸回してその一端部と他端部とを内外に重合し、この重合したキャンバスの一端部と他端部とをジョイントにて結着し、筒状に結着したキャンバスの両側縁に接続フランジを固着して構成されるダクト用たわみ継手に用いるキャンバス用ジョイントであって、該ジョイントは、前記重合したキャンバスの両端部内外に重ね合わせされる内側プレート及び外側プレートと、これら双方のプレートを外側プレートの外方よりねじ込んで前記重合したキャンバスの両端部とともに連結する止めネジとの組合せでなり、前記内側プレートと外側プレートのそれぞれに前記止めネジ用の孔を一対ずつ穿設するとともに、内側プレートと外側プレートのいずれか一方または双方のキャンバス側面に、前記一対の止めネジ用の孔を隔てる凹溝を設けたことを特徴としている。
【００１１】
さらに本発明は、外側プレートを板状に形成し、内側プレートを、外側プレートとともにキャンバスの一端部と他端部とを挟持する板片に、支持片を反キャンバス方向へ延出させた断面Ｔ字状に形成し、内側プレート側の一対の止めネジ用の孔を板片と支持片とに穿設するとともに、内側プレートの板片キャンバス側面に凹溝を設けるようにしてもよい。
【００１２】
また、外側プレートに穿設される止めネジ用の孔を、止めネジよりも大径なネジ挿通孔とし、内側プレートに穿設される止めネジ用の孔を、止めネジのねじ込みによってメネジが刻設されるタップ立て用の下孔または止めネジよりも大径なネジ挿通孔とすることができる。
【００１３】
本発明のキャンバス用ジョイントは、内外２枚のプレートと一対の止めネジとからなり、これを用いてキャンバスの一端部と他端部とを結着するには、帯状のキャンバスを筒状に懸回してその一端部と他端部とを内外に重合し、この重合したキャンバスの一端部と他端部との内外に内側プレートと外側プレートとで重ね合わせする。キャンバスが変形防止用の補強線材を持つ場合には、キャンバスの一端部と他端部とを重ね合わせする際に、いずれか一方または双方のプレートに設けた凹溝に補強線材の一端部と他端部を収容する。
【００１４】
つぎに、外側プレートの外方から該外側プレートの止めネジ用の孔に止めネジを差し込み、さらにキャンバスの一端部と他端部とを貫通させた止めネジを内側プレートの止めネジ用の孔にねじ切りして止めるか、あるいは内側プレートを貫通してキャンバスの内側へ突出させた止めネジの先端にナットを螺着して、内外のプレートをネジ止めすることにより、双方のプレートがキャンバスの両端部を挟持する。このネジ止め作業は、ドライバやスパナ等の汎用工具を用いて行われる。
【００１５】
内側プレートと外側プレートの一方または双方のキャンバス側面に一対の止めネジ用の孔を隔てるように凹溝を設けることにより、止めネジ用の孔周囲がそれぞれ小区画の座板のように分断されるので、止めネジの個々のねじ込み力によってキャンバスと密着し易くなり、双方のプレートがキャンバスの両端部を強固に挟持することとなる。これにより、両プレートの結着力と緩み止め作用が向上する。
【００１６】
止めネジのねじ込みによって双方のプレートがキャンバスの両端部を強固に挟持するために、凹溝によって分断される止めネジ用の孔周囲に撓み力を持たせることが好ましく、凹溝が形成される内側プレート及び／または外側プレートを、合成ゴムや合成樹脂等の弾性力のある材料で形成するとよい。
【００１７】
内側プレートと外側プレートの一方または双方に設けた凹溝は、キャンバスが補強線材入りの場合に、補強線材の両端部を収容するのに役立つ。補強線材の両端部を凹溝に収容することにより、双方のプレートがキャンバスの一端部と他端部とを直接挟着するので挟着力が高まり、さらにたわみ継手を建築物内部の剛体ダクト間に設置してたわみ継手が内部の風圧を受けても、キャンバスと補強線材の端部とが擦れ合うことがないので、たわみ継ぎ手の耐久性が高まる。
【００１８】
本発明のキャンバス用ジョイントは、重合したキャンバスの両端部中央に少なくとも１組を用い、またキャンバスの幅が広い場合にはキャンバスの幅方向に複数組を用いるが、内外双方のプレートがキャンバスの両端部を面接触で挟むので、従来の点接触によるジョイントに較べて使用個数が少なくて済む。
【００１９】
内側プレートと外側プレートとをネジ止めする場合に、外側プレートの止めネジ用の孔は止めネジよりも大径のネジ挿通孔とするが、内側プレートの止めネジ用の孔は、止めネジよりも大径のネジ挿通孔に形成して、内側プレートからキャンバスの内側へ突出させた止めネジの先端にナットを螺着するか、あるいは内側プレートの止めネジ用の孔をタップ立て用の下孔とし、このタップ立て用の下孔にタッピングネジをねじ込んでメネジを刻設するようにしてもよい。後者の場合には、下孔にタップを刻んでメネジとするので止めネジの緩み防止効果があり、またナットの省略により部品点数の削減が図れる。
【発明の効果】
【００２０】
以上説明したように、本発明のキャンバス用ジョイントによれば、キャンバスを筒状にして結着する作業を、汎用工具を用いて短時間で簡便に行うことができ、以て製作コストの低減が図れる。
【００２１】
また、内側プレートや外側プレートのキャンバス側面に止めネジ用の孔を隔てるように凹溝を設けることにより、止めネジ用の孔周囲がそれぞれ小区画の座板のように分断され、止めネジの個々のねじ込み力によってキャンバスと密着し易くなる。これにより、双方のプレートがキャンバスの両端部を強固に挟持するので、両プレートの結着力と緩み止め作用が向上する。
【００２２】
さらに、補強線材入りのキャンバスを用いた場合には、内外プレートをネジ止めする際に補強線材の両端部をプレートの凹溝に収容できるので、補強線材の両端部でキャンバスを傷めることなく、たわみ継手を長期間に亘って使用することが可能となる。
【００２３】
また、内側プレートの止めネジ用の孔をタップ立て用の下孔とすることにより、この下孔にねじ込まれるタッピングネジがメネジを刻むので、止めネジを緩み防止する効果があり、しかも止め具としてのナットを省略できるので部品点数の削減が図れる。
【図面の簡単な説明】
【００２４】
【図１】本発明の第１形態例を示すキャンバス用ジョイントを用いてキャンバスの一端部と他端部とを結着した状態の拡大断面図である。
【図２】本発明の第１形態例を示すたわみ継手の斜視図である。
【図３】本発明の第１形態例を示すたわみ継手をダクト間に装着した状態の平面図である。
【図４】本発明の第１形態例を示す図１のＩＶ−ＩＶ断面図である。
【図５】本発明の第１形態例を示すキャンバス用ジョイントの内側プレートと外側プレートを上方から視た分解斜視図である。
【図６】本発明の第１形態例を示すキャンバス用ジョイントの内側プレートと外側プレートを下方から視た分解斜視図である。
【図７】本発明の第２形態例を示すキャンバス用ジョイントを用いてキャンバスの一端部と他端部とを結着した状態の拡大断面図である。
【図８】本発明の第２形態例を示すたわみ継手の斜視図である。
【図９】本発明の第２形態例を示すたわみ継手をダクト間に装着した状態の平面図である。
【図１０】本発明の第２形態例を示す図７のＸ−Ｘ断面図である。
【図１１】本発明の第３形態例を示すキャンバス用ジョイントを用いてキャンバスの一端部と他端部とを結着した状態の拡大断面図である。
【図１２】本発明の第４形態例を示すたわみ継手の斜視図である。
【図１３】本発明の第４形態例を示すたわみ継手をダクト間に装着した状態の平面図である。
【図１４】本発明の第４形態例を示すキャンバス用ジョイントを用いてキャンバスの一端部と他端部とを結着した状態の拡大断面図である。
【図１５】本発明の第４形態例を示す図８のＸＶ−ＸＶ断面図である。
【発明を実施するための形態】
【００２５】
以下、本発明の各形態例を図面に基づいて説明する。
【００２６】
図中、図１〜図６は本発明の第１形態例を、図７〜図１０は本発明の第２形態例をそれぞれ示し、また図１１は本発明の第３形態例を、さらに図１２〜図１５は本発明の第４形態例をそれぞれ示している。
【００２７】
図１〜図６の第１形態例に示すダクト用たわみ継手１は、継手本体となるキャンバス２を１組のキャンバス用ジョイント３を用いて円筒状に結着し、キャンバス２の両側縁に金属製の接続フランジ４，４をリング状に周設して構成されている。
【００２８】
図３に示すように、このたわみ継手１をビル等の建築物に配設される剛性のダクト５の適宜箇所に介装することにより、ダクト５が地震等で建築物とともに揺れた場合に、伸縮性並びに屈曲性を持つキャンバス２によってこれを吸収することにより、ダクト５への損傷を極力防止するようにしている。
【００２９】
キャンバス２は、例えば、表面にアルミ箔等の耐火処理を施した不燃性のクロスや、ポリエステル繊維などの化繊に塩化ビニルやオレフィン樹脂，ゴムをコーティングしたいわゆるターポリンと称するクロス、あるいはガラス繊維などに同様の樹脂やゴムをコーティングしたクロスを材料に形成して、振動等に伴う伸縮や屈曲ができるようにしている。
【００３０】
またキャンバス２は、長さ方向中央部分が左右をミシン線６，６で縫合された幅狭な袋状部分７となっていて、この袋状部分７に補強線材８が内挿されており、たわみ継手１を剛性のダクト５，５の間に設置して内部の風圧を受けた場合に、キャンバス２が大きく変形することのないように補強している。
【００３１】
たわみ継手１に用いる前のキャンバス２は長いロール状に巻かれており、その外周側を引き出してたわみ継手１の本体部外周長さよりもやや長めに切断し、これをたわみ継手１の本体部と同径の筒状にして、内外に重ね合わせたキャンバス２の一端部２ａ及び他端部２ｂを１組のキャンバス用ジョイント３で結着するもので、たわみ継手１を構成した際には、ロール状に巻かれていたキャンバス２の幅が接続フランジ４，４間の継手本体の長さとなる。
【００３２】
袋状部分７内の補強線材８は、ロール状に巻かれたキャンバス２を切断する際に一体に切断され、その一端部８ａと他端部８ｂは、キャンバス２をたわみ継手１の本体部と同径の筒状にした際に内外に重ね合わせされる。
【００３３】
キャンバス用ジョイント３は、その詳細を図１，図４〜図６に示すように、横長方形の板片１０ａの一側面中央に支持片１０ｂを突出させた断面Ｔ字状の内側プレート１０と、該内側プレート１０の板片１０ａと同様に横長方形に形成される外側プレート１１と、これら２枚のプレート１０，１１をキャンバス２を挟んで連結する２本のセルフタッピングネジ１２，１２とからなっており、これらプレート１０，１１は、撓み力のある例えば合成ゴムや塩化ビニル樹脂等の合成樹脂板によって形成される。
【００３４】
内側プレート１０には、タップ立て用の下孔（以下単に下孔と略記する）１３ａ，１３ａが板片１０ａと支持片１０ｂとに貫通して設けられており、板片１０ａの支持片１０ｂとは反対側のキャンバス側面中央には、凹溝１３ｂが下孔１３ａ，１３ａを隔てるように幅方向全長に渡って設けられている。
【００３５】
２つの下孔１３ａ，１３ａ周辺は、中間部の凹溝１３ｂによって小区画の座板のように分断され、下孔１３ａにセルフタッピングネジ１２をねじ込んだ際には下孔１３ａの周辺部分がそれぞれキャンバス２方向へ容易に引っ張られることとなる。また本形態例の凹溝１３ｂは、補強線材収容溝を兼ねていて、補強線材２本分よりも幅広な円弧状に形成されており、両プレート１０，１１とセルフタッピングネジ１２，１２を用いてキャンバス２の両端部２ａ，２ｂを結着する際に、補強線材の一端部８ａ及び他端部８ｂを収容できるようにしている。
【００３６】
内側プレート１０は、キャンバス２の両端部２ａ，２ｂを結着する取付作業時や結着後に、長手方向を流体の流れと平行に向けてキャンバス２内に位置する。このため、支持片１０ｂの両側面中央に滑り止め用の縦溝１３ｃ，１３ｃを設けて、結着取付作業に作業員が支持片１０ｂを容易に把持できるようにしており、また支持片１０ｂを構成する四面に先細り状のテーパを設けて、極力流体流れの抵抗とならないようにしている。
【００３７】
外側プレート１１には、座ぐり穴付きのネジ挿通孔１４ａ，１４ａが内側プレート１０の下孔１３ａ，１３ａと同ピッチで穿設されている。また、外側プレート１１のキャンバス側と反対の外面は、中央部へ向けて円弧状に肉盛りされており、セルフタッピングネジ１２，１２を締め付けした際に、中央部の強度を確保しつつネジ挿通孔１４ａ，１４ａが穿設されたやや薄肉の両側部をキャンバス方向へ撓ませて、外側プレート１１が内側プレート１０とともにキャンバス２の一端部２ａ及び他端部２ｂを高い締め付け力で挟持できるようにしている。
【００３８】
本形態例のタッピングネジ１２は本発明の止めネジに、また内側プレート１０の下孔１３ａは本発明の止めネジ用の孔にそれぞれ相当するもので、下孔１３ａはタッピングネジ１２の軸径よりもやや小径に形成されており、また外側プレート１１のネジ挿通孔１４ａはタッピングネジ１２の軸径よりもやや大径に形成されている。
【００３９】
たわみ継手１の継手本体となる接続フランジ４，４間のキャンバス２の長さが、例えば２００〜３００ｍｍである場合に、内外両プレート１０，１１には、長さが２０〜４０ｍｍで幅が１０〜２５ｍｍ程度の横長方形の合成ゴム材が用いられ、板片１０ａのキャンバス側面中央に、幅６〜８ｍｍで深さが１〜３ｍｍ程度の凹溝１３ｂが下孔１３ａ，１３ａを隔てるように設けられる。
【００４０】
図１〜図４に示すように、キャンバス２の両端部２ａ，２ｂを本形態例のキャンバス用ジョイント３で結着する場合に、帯状のキャンバス２を筒状に懸回してその一端部２ａと他端部２ｂとを内外に重合し、この重合した一端部２ａと他端部２ｂとの内外中央に内側プレート１０と外側プレート１１とで重ね合わせし、この重ね合わせの際に、内側プレート１０の凹溝１３ｂに補強線材８の一端部８ａと他端部８ｂを収容する。
【００４１】
つぎに、外側プレート１１の外方からネジ挿通孔１４ａ，１４ａのそれぞれにタッピングネジ１２を差し込んで、該タッピングネジ１２をキャンバス２の両端部２ａ，２ｂに貫通させ、さらにタッピングネジ１２を内側プレート１０の下孔１３ａにねじ込んで、該下孔１３ａにメネジを刻設することにより、内外双方のプレート１０，１１をネジ止めする。
【００４２】
これにより、キャンバス２の両端部２ａ，２ｂが結着され、さらに補強線材８の両端部８ａ，８ｂが内側プレート１０の凹溝１３ｂに収容されながら双方のプレート１０，１１によってガタ付きなく挟持される（図１，図４参照）。このネジ止め作業は、ドライバ等の汎用工具を用いて行われる。
【００４３】
これにより、たわみ継手１を剛体のダクト５，５間に設置してたわみ継手１が内部の風圧を受けても、キャンバス２と補強線材８の両端部８ａ，８ｂとが擦れ合うことがなく、たわみ継手１としての性能を長期間よく維持することができる。
【００４４】
上述の結着では、内側プレート１０の下孔周辺部分が、板片１０ａのキャンバス側面中央に形成した凹溝１３ｂによって座板のように分断され、また内側プレート１０を弾性材の合成ゴムで形成していることから、タッピングネジ１２のねじ込みによって下孔１３ａにタップ立てをした際に、内側プレート１０の下孔周辺部分のそれぞれが外側プレート１１方向へ引っ張られ、外側プレート１１とともにキャンバス２の両端部２ａ，２ｂを高い密着性で挟持する。内側プレート１０の下孔周辺部分の分断と内外両プレート１０，１１を弾性材の合成ゴムで形成したことは、タッピングネジ１２の緩み止めにも効果的である。
【００４５】
キャンバス２の両端部２ａ，２ｂは、その中央部のみがキャンバス用ジョイント３によって結着されるが、従来のホチキス針や鳩目，ダイカシメやリベットカシメとは異なって、キャンバス２の長手方向に長さを持つ横長方形の内側プレート１０と外側プレート１１とが両端部２ａ，２ｂを広い面積で隙間なく挟むため、たわみ継手１内部の風圧にも充分に堪える結着強度を有する。
【００４６】
また、キャンバス用ジョイント３の両側はキャンバス２の両端部２ａ，２ｂを内外に重ね合わせしただけとなるが、たわみ継手１内部の風圧やたわみ継手１自身が振動した際に、両端部２ａ，２ｂがたわみ継手１の内外や幅方向へフレキシブルに動くことができるのでいたずらな負荷を生じないで済む。
【００４７】
さらに本形態例は、内側プレート１０のキャンバス側面中央に設けた凹溝１３ｂを補強線材２本分よりも幅広にしたことにより、両プレート１０，１１を内外に重ね合わせした際に、補強線材８の両端部８ａ，８ｂを凹溝１３ｂにできるといった兼用のメリットがある。
【００４８】
つぎに、本発明の第２〜第４形態例を説明する。なお、上述の第１形態例と同一構成部分については同一の符号を付して詳細な説明を省略する。
【００４９】
図７〜図１０に示す第２形態例では、キャンバス用ジョイント２０に、横長方形で平板状の内側プレート２１及び外側プレート２２と、２本のセルフタッピングネジ２３，２３とを用いている。内側プレート２１と外側プレート２２は、それぞれ第１形態例と同様に合成ゴムや塩化ビニル樹脂等の合成樹脂板によって形成されており、内側プレート２１の厚み方向にはタップ立て用の下孔２４ａ，２４ａが穿設され、また外側プレート２２の厚み方向には座ぐり穴付きのネジ挿通孔２５ａ，２５ａが内側プレート２１の下孔２４ａ，２４ａと同ピッチで穿設されている。
【００５０】
タッピングネジ２３は本発明の止めネジに、また内側プレート２１の下孔２４ａは本発明の止めネジ用の孔にそれぞれ相当するもので、下孔２４ａはタッピングネジ２３の軸径よりもやや小径に形成されており、また外側プレート２２のネジ挿通孔２５ａはタッピングネジ２３の軸径よりもやや大径に形成されている。
【００５１】
内側プレート２１のキャンバス側面中央には、補強線材２本分よりも幅広な凹溝２６ａが下孔２４ａ，２４ａを隔てるように内側プレート２１の幅方向全長に亘って設けられており、また外側プレート２２のキャンバス側面中央には、内側プレート２１の凹溝２６ａと同幅の凹溝２６ｂがネジ挿通孔２５ａ，２５ａを隔てるように外側プレート２２の幅方向全長に亘って設けられている。
【００５２】
たわみ継手１の継手本体となる接続フランジ４，４間のキャンバス２の長さが、例えば２００〜３００ｍｍである場合に、内外両プレート２１，２２には、長さが２０〜４０ｍｍで幅が１０〜２６ａｍｍ程度の横長方形の合成ゴム板や塩化ビニル樹脂板が用いられ、下孔２４ａ，２４ａの間とネジ挿通孔２５ａ，２５ａの間に、幅６〜８ｍｍで深さが１〜３ｍｍ程度の凹溝２６ａ，２６ｂが形成される。
【００５３】
図８，図９に示すように、本形態例のキャンバス用ジョイント２０を用いてキャンバス２の両端部２ａ，２ｂを結着する場合に、第１形態例と同様、帯状のキャンバス２を筒状に懸回してその一端部２ａと他端部２ｂとを内外に重合し、この重合した一端部２ａと他端部２ｂとの内外中央に内側プレート２１と外側プレート２２とで重ね合わせし、この重ね合わせの際に、一端部２ａと他端部２ｂを挟んで内外に対向する凹溝２６ａ，２６ｂに補強線材８の一端部８ａと他端部８ｂを収容する。
【００５４】
つぎに、外側プレート２２の外方からネジ挿通孔２５ａ，２５ａにそれぞれタッピングネジ２３を差し込んで、該タッピングネジ２３をキャンバス２の両端部２ａ，２ｂに貫通させ、さらにタッピングネジ２３を内側プレート２１の下孔２４ａにねじ込んで、該下孔２４ａにメネジを刻設することにより、内外双方のプレート２１，２２をネジ止めする。これにより、キャンバス２の両端部２ａ，２ｂが結着され、さらに補強線材８の両端部８ａ，８ｂが双方のプレートによってガタ付きなく挟持される（図７，図１０参照）。このネジ止め作業は、ドライバ等の汎用工具を用いて行われる。
【００５５】
これにより、たわみ継手１を剛体のダクト５，５間に設置してたわみ継手１が内部の風圧を受けても、キャンバス２と補強線材８の両端部８ａ，８ｂとが擦れ合うことがなく、たわみ継手１としての性能を長期間よく維持することができる。
【００５６】
上述の結着では、内側プレート２１の下孔周辺部分と外側プレート２２のネジ挿通孔周辺部分とがそれぞれ凹溝２６ａ，２６ｂによって座板のように分断され、また双方のプレート２１，２２を弾性材の合成ゴムや塩化ビニル樹脂で形成することから、タッピングネジ１２のねじ込みによって下孔１３ａにタップ立てをした際に、双方のプレート２１，２２の下孔周辺部分とネジ挿通孔周辺部分とがキャンバス２の両端部２ａ，２ｂ方向へ引っ張られ、キャンバス２の両端部２ａ，２ｂを高い密着性で挟持する。下孔周辺部分とネジ挿通孔周辺部分を凹溝２６ａ，２６ｂで分断したことと、両プレート２１，２２を弾性材で形成したことは、タッピングネジ２３の緩み止めにも効果的である。
【００５７】
さらに本形態例は、内外両プレート２１，２２の凹溝２６ａ，２６ｂを補強線材２本分よりも幅広にしたことにより、両プレート１０，１１を内外に重ね合わせした際に、補強線材８の両端部８ａ，８ｂを凹溝２６ａ，２６ｂに収容できるといった副次的効果がある。
【００５８】
図１１を用いた第３形態例は、前記第２形態例の変形例を示している。本形態例のキャンバス用ジョイント３０は、本発明の止めネジとして、両プレート２１，２２とキャンバス２の両端部２ａ，２ｂの厚みよりも長い通しネジ３１，３１を採用し、内側プレート２１に穿設される止めネジ用の孔を通しネジ３１の軸径よりも大径なネジ挿通孔３２ａ，３２ａとなし、各ネジ挿通孔３２ａからキャンバス２の内側へ突出する通しネジ３１の先端にナット３３を螺着するとともに、両プレート２１，２２のキャンバス側面でネジ挿通孔２５ａ，２５ａの間とネジ挿通孔３２ａ，３２ａの間に設けられる凹溝２６ａ，２６ｂを、補強線材８の一端部８ａ用と他端部８ｂとの２つずつに分割した点で、上述の第２形態例と異なっている。
【００５９】
図１２〜図１５に示す第４形態例では、第２形態例と同様のキャンバス用ジョイント２０を使用し、補強線材を有しないキャンバス４０を用いた事例を示しており、キャンバス用ジョイント２０は、補強線材の両端部を固定するという副次的機能は持たないが、キャンバス４０の一端部４０ａと一端部４０ｂとを最小の１組構成で簡便且つ確実に結着するという基本機能の達成のみに徹している。
【符号の説明】
【００６０】
１…ダクト用たわみ継手
２，４０…キャンバス
２ａ，４０ａ…キャンバス２，４０の一端部
２ｂ，４０ｂ…キャンバス２，４０の他端部
３，２０，３０…キャンバス用ジョイント
５…剛性のダクト
６…ミシン線
７…袋状部分
８…補強線材
８ａ…補強線材８の一端部
８ｂ…補強線材８の他端部
１０，２１…内側プレート
１１，２２…外側プレート
１２，２３…タッピングネジ
１３ａ，２４ａ…下孔
１３ｂ，２６ａ，２６ｂ…凹溝
１４ａ，２５ａ，３２ａ…ネジ挿通孔
３１…通しネジ
３３…ナット
【図１】
2014037912.tif 000003
【図２】
2014037912.tif 000004
【図３】
2014037912.tif 000005
【図４】
2014037912.tif 000006
【図５】
2014037912.tif 000007
【図６】
2014037912.tif 000008
【図７】
2014037912.tif 000009
【図８】
2014037912.tif 000010
【図９】
2014037912.tif 000011
【図１０】
2014037912.tif 000012
【図１１】
2014037912.tif 000013
【図１２】
2014037912.tif 000014
【図１３】
2014037912.tif 000015
【図１４】
2014037912.tif 000016
【図１５】
2014037912.tif 000017